【手続補正書】
【提出日】平成16年11月10日(2004.11.10)
【手続補正１】
【補正対象書類名】明細書
【補正対象項目名】発明の名称
【補正方法】変更
【補正の内容】
【発明の名称】プラスチックボトル
【手続補正２】
【補正対象書類名】明細書
【補正対象項目名】特許請求の範囲
【補正方法】変更
【補正の内容】
【特許請求の範囲】
【請求項１】
特にミネラルウォーター等の飲料用のプラスチックボトルであって、例えばスクリュー形式の、シール手段（３）を備えるキャップ（２）によって封をすることができ、ボトル（１）に充填する製品の識別のために必要な、流通上及び／又は法律的に要求される全ての情報を、ボトル（１）の壁に直接、変形又はその他の変更を施すことによって形成したものであり、ボトルの底部端近辺において、ボトルの壁に横方向に形成された溝（２１，４１）と、該溝内に配置される半径方向凹所とを設けて、ボトル底部とボトル自体とを分離するための、ボトルと関連つけられた切断手段のための受理手段を形成したプラスチックボトルにおいて、
ボトルを広げて互いに容易に重ね合わせることができるように、ボトルが、側壁に沿った一つ以上の開放折畳み部（４２）、若しくは切断手段のための受理手段として一つ以上の長手方向溝（２２）を有することを特徴とする、プラスチックボトル。
【請求項２】
前記折り畳み部（４２）が、ボトルの底部端に向かって増加する断面を有する、請求項１に記載のボトル。
【請求項３】
前記横方向溝（２１）内に配置された前記半径方向凹所（２３）が、該横方向溝（２１）と長手方向溝（２２）との交差点に形成されている、請求項１に記載のボトル。
【手続補正３】
【補正対象書類名】明細書
【補正対象項目名】発明の詳細な説明
【補正方法】変更
【補正の内容】
【発明の詳細な説明】
【０００１】
【発明が属する技術分野】
本発明は、プラスチックボトル、特にミネラルウォーター用若しくは飲料用のプラスチックボトル、並びにその製造及びパッキング法に関する。
【０００２】
【従来の技術】
プラスチック製若しくはこれに類する材料からなるボトルの製造において、業として頒布することを目的とする製品は、製品として識別性があると同時に、製造企業の商標としても識別性があることが必要であり、組成、原材料、及び品質保証期限等の一連の付属的データによっても特定しなければならないために生じる一般的な問題がある。このデータは通常、種々の方法によってボトルに貼付されるラベル上に表示される。一般にラベルは紙、又は少なくともボトルとは異なる材料で作成されるので、廃棄又はリサイクルする際のことを考えると、消費者に異なる性質の成分からなる製品を提供していることになる。さらに、生産面からみても、これはコスト高の原因となっている。
【０００３】
もう一つはボトルのパッキングに関する問題で、いわゆる「安全保証シール」を備えるキャップでボトルにふたをすることである。このシールを取り付ける必要があるので、キャップをボトルと同じ材料で作成することができない。これは、シールは、通常キャップと一体的に形成されるカラーを備え、このキャップは一般的にボトルの材料とは異なる材料で作成するためである。この場合も、このような問題は、ボトルをリサイクルしようとする人々にとっては無視できない問題である。
【０００４】
最後に、ボトルの保管を容易にするために、製造工程とパッキング工程の間でボトルを合理的に整理することができる有効なシステムが、従来技術にはなかったということを認識しなければいけない。同様に、既に使用した空のボトルは、手動又は特別な粉砕装置によって圧縮しているのが現状であるが、リサイクルする際に空のボトルを整理するための、これに代わるシステムは、市場に出てきていない。
【０００５】
【発明が解決しようとする課題】
本発明の目的は、消費者向けのすべてのデータを、紙製のラベル、印刷、セリグラフィー、塗布等を用いずに施したボトルを提供することにある。
【０００６】
本発明のさらに別の目的は、キャップ、シール、及びボトルに一種類の材料を使用するのみでよく、この組立体全体をリサイクルすることができるような、ボトルの閉鎖システムを提供することにある。
【０００７】
本発明はまた、プラスチックボトルの製造及びパッキング法に関し、この方法によれば、製造されたボトルの表面には、通常ラベルに記載されるようなデータが直接施され、またボトルを、いわゆる「単一材料」形式のパッキングとなるように作成することができる。
【０００８】
【課題を解決するための手段】
従って本発明によれば、シール手段を備える例えばスクリュータイプ等のキャップによって封をすることができるプラスチックボトル、特にミネラルウォーター等の飲料用のプラスチックボトルであって、ボトルに充填する製品の識別のために必要な、流通上及び／又は法律的に要求される全ての情報を、ボトルの壁に直接、変形又はその他の変更を施すことによって形成したものであり、ボトルの底部端近辺において、ボトルの壁に横方向に形成された溝と、該溝内に配置される半径方向凹所とを設けて、ボトル底部とボトル自体とを分離するための、ボトルと関連つけられた切断手段のための受理手段を形成したプラスチックボトルにおいて、ボトルを広げて互いに容易に重ね合わせることができるように、ボトルが、側壁に沿った一つ以上の開放折畳み部、若しくは切断手段のための受理手段として一つ以上の長手方向溝を有することを特徴とする、プラスチックボトルが提供される。
【０００９】
特に、キャップを封止するための前記手段は、キャップとボトルとを接続し、キャップの外縁に沿って均一に配置され、熱可塑性材料で作成される、一つ以上のエレメントを含む。好ましくは、キャップ、接続エレメント、及びボトルは、同じ熱可塑性材料で作成する。
【００１０】
好ましくは、本発明のボトルは、充填前の段階及び使用後の回収時のどちらの場合においても、その保管が容易となるように設計されている。
【００１１】
また好ましくは、開放折畳み部は、ボトルの底部端に向かって増加する断面を有する。
【００１２】
さらに、横方向溝内に配置された半径方向凹所は、横方向溝と長手方向溝との交差点に形成するのが好ましい。
【００１３】
【発明の実施の態様】
以下に本発明の構成及び実施態様を列挙する。
【００１４】
１．特にミネラルウォーター等の飲料用のプラスチックボトルであって、例えばスクリュー形式の、シール手段（３）を備えるキャップ（２）によって封をすることができるプラスチックボトルにおいて、
ボトル（１）に充填する製品の識別のために必要な、流通上及び／又は法律的に要求される全ての情報を、ボトル（１）の壁に直接、変形又はその他の変更を施すことによって形成したことを特徴とする、プラスチックボトル。
【００１５】
２．前記キャップ（２）をシールするための前記手段（３）が、該キャップ（２）と前記ボトル（１）とを接続する一つ以上のエレメント（１０３、２０３）を含み、該エレメントは、該キャップ（２）の外縁部に沿って均等に配置され、熱可塑性材料からなる、上記１に記載のボトル。
【００１６】
３．前記接続エレメントが、熱可塑性材料の複数の小滴（１０３）を含む、上記２に記載のボトル。
【００１７】
４．前記接続エレメントが、熱可塑性材料の連続的なビード（２０３）を含む、上記２に記載のボトル。
【００１８】
５．前記熱可塑性材料が、ボトルの材料と同一の材料である、上記２から４のいずれか一に記載のボトル。
【００１９】
６．前記キャップ（２）を熱可塑性材料で作成する、上記１から５のいずれか一に記載のボトル。
【００２０】
７．前記熱可塑性材料が、ボトルの材料と同一の材料である、上記６に記載のボトル。
【００２１】
８．前記接続エレメントを、熱溶接又は電気溶接によってキャップ（２）自体から直接得る、上記６または７に記載のボトル。
【００２２】
９．ボトル（７、８、９、２０、４０）の前記端部（１０７、１０８、１０９、２５、４３）と、ボトル自体とを、該部分（１０７、１０８、１０９）を該ボトル（７、８、９）に接続するストリップ（１１７、１１９）を残して分離させるために、ボトルの二つの端部のうち一方の近辺に、切断手段（１２、３２）のための受理手段（１２７、１３７、２１、２４、４１）を形成する、上記１から８のいずれか一に記載のボトル。
【００２３】
10．前記受理手段が、前記ボトルの壁に横方向に形成された溝（１２７、２１、４１）と、該溝内に配置される半径方向凹所（１３７、２４）とを含む、上記９に記載のボトル。
【００２４】
11．前記ボトル（２０）の側壁に、これを長手方向に切断するための切断手段（３６）のための受理手段（２２、２３）を形成する、上記１０に記載のボトル。
【００２５】
12．前記受理手段が、横方向溝（２１）に対して実質的に垂直な長手方向溝（２２）を含み、該溝（２１、２２）の交差点に凹所（２３）を形成する、上記１１に記載のボトル。
【００２６】
13．前記ボトル（４０）が、側壁に沿って一つ以上の開放折り畳み部（４２）を有する、上記９または１０に記載のボトル。
【００２７】
14．前記折り畳み部（４２）が、分離端（４３）に向かって増加する断面を有する、上記１３に記載のボトル。
【００２８】
15．前記受理手段を、前記ボトルの横方向軸に沿って配置し、前記折り畳み部を、ボトルの中心部に向かって増加し、且つ端部に向かって減少する断面を有するように形成する、上記９又は１３に記載のボトル。
【００２９】
16．前記ボトル（７、９）を、底部から口部に向かってすぼまるようにテーパーして形成する、上記９又は１０に記載のボトル。
【００３０】
17．前記ボトル（８）を、口部から底部に向かってすぼまるようにテーパーして形成する、上記９又は１０に記載のボトル。
【００３１】
18．ボトルの長手方向軸と異なる軸を有する溝及び／又は突出部を、前記ボトルの側壁に形成する、上記１３から１７のいずれか一に記載のボトル。
【００３２】
19．前記ボトル（９）の側壁に、少くとも一つの螺旋溝（２０９）を形成する、上記１８に記載のボトル。
【００３３】
20．前記ボトル（５０、６０）の底部（５１、６１）が、ボトルの口部（６４）の端部を収容することができる軸方向空洞（５２、６２）を有し、該空洞（５２、６２）が前記口部端（６４）と結合するための手段（５３、６３）を備える、上記１から１９のいずれか一に記載のボトル。
【００３４】
21．前記結合手段が、前記空洞（５２）の外縁部に配置される歯付き環状肩部（５３）を含む、上記２０に記載のボトル。
【００３５】
22．前記結合手段が、前記空洞（６２）内側に形成したねじ（６３）を含み、該ねじ（６３）は、前記口部（６４）の端部のねじ（６５）と螺合するピッチを有する、上記２０に記載のボトル。
【００３６】
23．前記ボトル（７０）の底部（７１）が、二つ以上の半径方向溝（７２）を備え、さらに該溝（７２）の交差点に形成される空洞（７３）を備える、上記１から２２のいずれか一に記載のボトル。
【００３７】
24．上記１から２２のいずれか一に記載のボトルを製造及びパッキングするための方法であって、該ボトルの製造段階が、
材料を型（４）内に導入する工程と、
該材料をブロー成形及び／又は射出成形してボトル（１）を形成する工程と、
同時に、該ボトルに充填する製品の識別のために必要な、流通上及び／又は法律的に要求される全ての情報を、背景（１２１）と一つ以上の図形及び／又は文字エレメント（１１１）とを含むラベル（１０１）の形式で、ボトル（１）の表面に直接形成する工程と、
該ボトルの表面に形成したラベルの背景（１２１）と、図形及び／又は文字エレメント（１１１）との区別をつける工程とを含む、ボトルを製造及びパッキングするための方法。
【００３８】
25．前記区別をつける工程が、機械的手段を用いて行う前記ボトル（１）の表面上での操作を含む、上記２４に記載の方法。
【００３９】
26．前記機械的手段が、該ボトル（１）の型（４）内に配置される印刷型手段を含む、上記２５に記載の方法。
【００４０】
27．前記区別をつける工程が、熱的手段を用いて行う前記ボトル（１）の表面上での操作を含む、上記２４に記載の方法。
【００４１】
28．前記熱的手段が、型（４）を異なる速度で冷却するための手段を含み、該型（４）は、主要冷却回路（１０４）と第二冷却回路（５０４）とを備え、該第二冷却回路は、前記ボトル（１）の表面に直接形成された前記ラベル（１０１）の背景領域（１２１）に作用するように設計する、上記２７に記載の方法。
【００４２】
29．上記１から２３のいずれか一に記載のボトルを製造及びパッキングするための方法であって、該ボトルのパッキング段階が、
ボトル（１）を充填する工程と、
例えばスクリュー形式のキャップ（２）によって該ボトル（１）に封をする工程と、
該キャップ（２）にシール手段（３）を適用する工程とを含み、該シール手段（３）は、適切な接続手段（６、２０６、６、３０６、４０６、５０６）を用いて該キャップの外縁部に沿って均等に配置される、該キャップ（２）と該ボトル（１）とを接続するための一つ以上のエレメント（１０３、２０３）を含む、ボトルを製造及びパッキングするための方法。
【００４３】
30．前記シール手段（３）を適用する工程中に、前記ボトルをその垂直軸を中心として回転させ、前記接続手段（６、２０６、６、３０６、４０６、５０６）が該回転動作に同調する、上記２９に記載の方法。
【００４４】
31．前記接続エレメントを、熱溶接又は電気溶接によって、前記キャップ（２）自体から得る、上記２９又は３０に記載の方法。
【００４５】
32．前記接続エレメントが、熱可塑性材料の複数の小滴（１０３）を含み、前記接続手段が、分配ユニット（６）と搬送ノズル（２０６）とを含む、上記２９又は３０に記載の方法。
【００４６】
33．前記接続エレメントが、熱可塑性材料の連続的ビード（２０３）を含み、前記接続手段が、分配ユニット（６）と、搬送ヘッド（３０６）と、弁形式の搬送手段（５０６）を備える搬送ノズル（４０６）とを含み、前記弁（５０６）は、ボトル（１）の表面と接触することによって開放する、上記２９又は３０に記載の方法。
【００４７】
34．前記接続エレメント（１０３、２０３）を、ボトル（１）の材料と同じ材料で作成する、上記３２又は３３に記載の方法。
【００４８】
35．前記キャップ（２）を、ボトル（１）の材料と同じ材料で作成する、上記２９から３３のいずれか一に記載の方法。
【００４９】
【実施例】
本発明のさらなる利点及び特徴は、図面を参照して、以下の非限定的な例としての実施態様の説明によってより明らかとなるであろう。
【００５０】
図１において、参照番号１は本発明のボトルを示す。このボトルには液体１０、詳細には水が入っており、ボトル表面にはラベル領域１０１があり、この領域には、製品を商業的に特定するために必要な図形及び／又は文字エレメント、及びボトル１内に充填される製品１０に関する品質保証期限、組成、及び他の分析統計等の法律的に必要なデータの表示が、直接形成される。ボトルはさらに、キャップによって封止され、このキャップはシール手段３を備える。
【００５１】
図２は、本発明のボトルを製造する方法に使用する形式の型の一部と、これに対向するボトル１の壁の一部を示す長手方向断面図である。型４には、公知の形式の冷却用溝１０４が設けられる。ボトル１の領域１０１上に文字及び／又は図形エレメント１１１を形成するのための型４０４の領域には、可変冷却システム、つまり内部に溝５０４を形成したブロック２０４があり、その回路は型の溝１０４から独立している。図３により明確に示されるように、ボトル１表面のラベル領域１０１の背景領域１２１は、ブロック２０４内に形成される回路５０４によって冷却され、絶縁材料の層３１４によってブロック２０４から隔離されているブロック３０４内に収容される図形エレメント又は文字１１１は、ボトル１の他の部分と共に冷却される。またブロック３０４の溝３２４は、第一冷却回路、つまり溝１０４に接続される。
【００５２】
公知のように、冷却度の違いによって、凝集の仕方に大きな差が生じ、このように処理された部品の外観も大きく異なる。詳細には、背景領域１２１をより低温で、つまりより急速に冷却すると、領域１０１の背景１２１の外観は、ボトル１の他の部分及び文字又は図形エレメント１１１よりも不透明となり（図３の断面図における斜線）、これに対して、文字又は図形エレメント１１１はよりつやがある。そのため、ボトル表面にラベルの形式で配置された情報が見やすく、読みやすく改善される。
【００５３】
溝１０４からなるいわゆる第一回路については、平均的温度範囲（１０〜６０℃）内の水又は他の冷却用流体を使用して、公知の方法で型を冷却することができ、ブロック２０４の溝５０４を含む第二回路の冷却は、例えば液体窒素又は液体空気を用いて、これよりもかなり低い温度で行う。この方法を逆に行ってもよいことは明らかである。つまり、よりつやのある背景の上に、より不透明な記載部を形成してもよい。若しくは、同じ効果を得るために、溝５０４によって加熱又は急激な過熱を行うことも、上記の外観の違いを得るためには有用である。
【００５４】
ボトル表面に直接形成したラベルの背景と、その上に形成される図形エレメント及び／又は文字とは、機械的操作によっても区別をつけることができる。例えば、文字と対照的に、背景に対してつやだし又は砂吹きを施す、若しくはこの反対を行ってもよい。さらに、電気又は電子的処理、並びにレーザー又は超音波処理を行ってもよく、これも同じ効果を得ることができる。
【００５５】
図４は、本発明の方法によってボトルを製造する場合の最終工程を概略的に示す。ボトル１は充填され、キャップ２を口部に配置することによって封がされている。分配ユニット６は、パイプ１０６に接続されたノズル２０６によって、好ましくは熱溶融性の粘稠な流体材料、つまり熱可塑性ポリマーの小滴１０３を噴射し、付着させる。小滴１０３は、キャップ２の外縁部と、ボトル１の首部２０１を取り囲む環状突出部との間に配置され、ボトルの封をシールする手段を形成する。ボトルをその垂直軸を中心として矢印IVで示す方向に回転させることによって、熱溶融性材料の小滴１０３を均等に付着させることができる。
【００５６】
図５は、本発明の方法によるボトルのパッキングの最終段階の実施態様の変更例を示す。ボトル１は、この場合も充填されキャップ２で封をされているが、分配ユニット１０６は、ノズル４０６を備える搬送ヘッド３０６によって、上述の種類の材料の連続的なビード２０３を搬送し、このビードはボトルの首部２０１の周囲全体の、キャップ２の外縁部と環状突出部２１１との間の間隙中に付着する。この場合も、図には示さないが、適切な手段によってボトル１を長手軸を中心として矢印Ｖの方向に回転させることによって、連続的なビード２０３を均等に付着させることができる。
【００５７】
図６は、図５の実施態様の変更例の詳細を示す図である。この例ではノズル４０６に、座５３６と協働し、且つバネ５２６によって付勢される針状閉塞装置５１６を含む搬送弁５０６を設ける。ノズル４０６がボトル１の首部２０１の壁に接触すると、閉塞装置５１６の針が閉塞装置を座５３６内に押し込み、それによって粘稠な流体材料が放出され、ビード２０３を形成する。ボトルがノズル４０６から離れると、閉塞装置５１６がバネ５２６に押されて搬送弁５０６を封止し、搬送が停止する。
【００５８】
図４に示した場合、及び図５、図６に示した場合のどちらの場合でも、分配ユニット６によって搬送される材料は、好ましくはボトルの材料と同じ材料である。また、好ましくはボトルのキャップもボトルと同じ材料で作成する。キャップとボトルとをシールするための手段３を形成する接続エレメントは、例えばレーザー及び／又は超音波等の適切な手段によって、ボトルの首部上にキャップの外縁部自体を点状に直接熱溶接することによっても形成することができることは明らかである。
【００５９】
図７及び図８は、本発明のボトルの実施態様の二つの変更例を示す。図７のボトル７及び図８のボトル８もどちらも、テーパーされた管状体で形成される。ボトル７の場合には、底部から上方にすぼまる形状のテーパーであり、ボトル８の場合はこの反対である。どちらの場合も、断面積の大きい方の端部付近で、ボトルの一部分１０７、１０８を、それぞれ線VII、VIIIに沿って他の部分から分離させることができる。このようにして、図７及び図８に示す形式のボトルを、それぞれ入れ子式に重ねることができ、リサイクルするために収集する容器の保管スペースをかなり減少させることができる。
【００６０】
図９は、図７に示すものと同様であるが、側壁に螺旋状の溝２０９、２０９’を設けた二つのボトル９、９’を示す。二つのボトルの部分１０９、１０９’は、ストリップ１１９、１１９’を残して、ボトルの他の部分から分離されている。図面には、ボトル９’の外表面とボトル９の内表面との間の相互係合を容易にするという、螺旋状溝２０９、２０９’の機能が明確に示されている。このようにして、二つのボトルは、図面に示す形態でしっかりと係合し、これによりリサイクルする材料を収集するためのスペース管理を最適化することができる。
【００６１】
図１０は、図７に示す形式のボトルの詳細を、部分１０７を部分的に分離させるための手段と併せて示す。ボトル７の底部を、ボトル７の底部の直径に一致する直径の軸方向の空洞１１を有する円筒形基部１０内に挿入する。ボトルの部分１０７は、溝１２７によって規定され、この溝に沿った所定位置に半径方向凹部１３７が形成される。この凹部によって、基部１０に収容され、バネ１３によって付勢されるボタン１４に載置される刃１２の挿入が容易になる。同じ部品を同じ番号で示している図１１からわかるように、凹所１３７はストリップ１１７に隣接する位置に設けられ、ストリップ１１７には溝１２７は形成されていない。
【００６２】
部分１０７を分離させるには、単にボタン１４を押して、刃１２が凹所１３７に対してボトルの壁を貫通するようにすればよい。次いで部分１０７とボトル７との接続を維持するストリップ１１７を残して、部分１０７とボトル７とを分離させるには、使用者は、圧力を維持しながらボトルを３６０度未満回転させるだけでよい。同じ技術的思想の範囲内で、図７〜図９に示す形式のボトルの断面積の大きい方の端部付近に位置する部分を、部分的に分離させるように設計された他の形式の手段も想到することができることは明らかである。
【００６３】
図１２〜図１４は、図７〜図９に示し、上記に説明したボトルの実施態様の変更例を示す。図１２は、図７に示すボトル７の溝１２７と同様に、底部２５の領域に横方向の溝２１を設けた、実質的に円筒形の対称的なボトル２０を示す。このボトル２０にはさらに、長手方向溝２２を備え、この長手方向溝と横方向溝２１との交差点には凹所２３を設ける。
【００６４】
図１３は、ボトル２０の断面の詳細を、切断手段３０と共に示す。この図に示すように、切断手段は、内部にボトル２０を配置する開放された円筒形空洞３１を備える環状エレメント３０を含む。ボタン３４と関連つけられた刃３２は、図１０を参照して先に説明したものと全体的に同様な方法で、凹所２４に向ける。エレメント３０の直径方向に対向する位置に、刃３２の平面と直角をなす平面上に、補助刃３６を設ける。この刃は、溝２１と溝２２との交差点に配置される凹所２３に向ける。
【００６５】
実際の操作では、ボトル２０の底部２５を部分的又は完全に分離した後、ボタン３５を押圧してボトルを下方に押し下げることによって、ボトル２０の側壁を溝２２に沿って切断することができる。このようにして、図１４に示すように、いくつかの円筒形ボトルを、力を必要とせずに、互いに重ね合わせることができる。
【００６６】
図１５〜図１７に示す実施態様の変更例によっても、全く同じ効果を得ることができる。図１５のボトル４０の底部４３の頂部も、溝４１によって規定されている。ボトルの側壁には、開放された折り畳み部４２が形成され、この折り畳み部の断面は、図面に点線で示されるように、部分的又は完全に分離されるボトル底部、つまり底部４３に向かって増加する。
【００６７】
折り畳部４２の断面の変化を、図１６Ａ及び図１６Ｂにより詳細に示す。実際には、図１６Ａに示す図１５のＡ−Ａ線に沿った断面は、図１６Ｂに示す図１５のＢ−Ｂ線に沿った断面よりもはるかに小さい。
【００６８】
この場合にも、部分４３を部分的に分離した後に、図１７に示すように、折り畳み部４２によってボトル４０を広げることができるので、ボトル４０は互いに容易に重ね合わせることができる。折り畳み部４２はまた、一定の断面で形成してもよく、若しくは例えば螺旋状等、長手方向の以外の方向に拡張させることもできることは明らかである。さらにボトルを、図面に示すように底部で分離するように設計する他にも、実質的に同一な二つの部分に分離するように設計することもでき、この場合には、好ましくは折り畳み部の断面が、ボトル本体の中心部に向かって増加し、端部に向かって減少するように形成する。また特に気体を含む飲料用のボトルでは、上述の図面に示すようにボトルの内部に向かって指向する折り畳部を、外方に向かって指向するように形成してもよい。
【００６９】
図１８は、本発明のボトルの実施態様のさらに別の変更例を示す。ボトル５０の底部５１には、軸方向に空洞５２を設け、その外縁部には、歯付きの断面形状を有する環状突出部分５３を設ける。この空洞内には別のボトルの口部を挿入することができ、製造段階とその後のパッキング段階との間で、ボトルを長い列状にまとめておくことができる。
【００７０】
この態様に類似するものとして、図１９及び図２０に示す変更例を挙げることができる。この変更例では、ボトル６０の底部６１は、内面にねじ６３をきった空洞６２を備える。図２０に示すように、空洞６２のねじ６３は、同様なボトル６０の口部６４に形成したねじ６５と螺合する。これにより堅固な固定が可能となると同時に、この接続を容易に外すこともできる。
【００７１】
図２１及び図２２は、本発明のさらに別の実施態様を示す。ボトル７０の底部７１の表面上には、いくつかの半径方向の溝７２を形成する。この溝７２の交差点には、ボトル７０の内部に指向する空洞７３を設ける。図２３は、ボトル７０’のキャップ７５’のついた首部７４’がボトル７０の底部７１を突き破って貫通する様子を示す。実際には、ボトル７０の底部７１の壁は、溝７２及び空洞７３を設けることによって、強度を低下させてあるので、このように貫通させることが容易である。
【００７２】
このように、図１８〜図２０に示すものと同様の態様で、いくつかのボトルの実施態様では、その頭部と底部とを接続することができる。さらに上述のように、例えば側面に折り畳み部を設けたボトル、又は口部から底部にかけてテーパーさせたボトルの底部に、図２１〜図２３に示すように好ましくは溝を設けもよい。このようなボトルを重ね合わせる際に有利な効果を得ることができる。